(57)【特許請求の範囲】
【請求項１】
対向する上壁と下壁を有した前面解放状の箱体であって、前記上壁の下面に複数の上部仕切片が下方へ向けて突設されるとともに、前記下壁に前記各上部仕切片に夫々対峙する複数の下部仕切片が上方へ向けて突設され、隣合う前記上部仕切片および前記下部仕切片により仕切られた収納空間にＣＤケースを立てた状態で差し入れるＣＤラックにおいて、
隣接する前記上部仕切片の間隔および隣接する前記下部仕切片の間隔を、単一のＣＤが収容された高さ寸法が１２４．６８ｍｍであって厚み寸法が１０．３７ｍｍの通常ＣＤケースを複数枚収納できる間隔に設定するとともに、
前記収納空間にて前記通常ＣＤケースの一側面を隣合う一方側の前記両仕切片に寄せた状態で、前記通常ＣＤケースの他側面に沿った前記高さ寸法の仮想線分を半径とするとともに該仮想線分の前記下壁側の端を中心として形成される仮想円弧を想定した際に、他方側に位置する前記上部仕切片を、この仮想円弧と交差する長さであって、対峙する下部仕切片との間に間隙を残存させる長さに設定したことを特徴とするＣＤラック。
【発明の詳細な説明】
【０００１】
【産業上の利用分野】
本発明は、ＣＤをＣＤケースに入れた状態で収容するＣＤラックに関する。
【０００２】
【従来の技術】
従来、ＣＤ（Ｃｏｍｐａｃｔ  Ｄｉｓｋ）を整理する際には、図５に示すようなＣＤラック１が使用されていた。該ＣＤラック１は、前面が開口した箱状であり、底板２の上面３および天板４の下面には、夫々ＣＤケースの厚みに対応した間隔で上部仕切片（図示せず）および下部仕切片５，・・・が奥行き方向に形成されている。これにより、上部仕切片および下部仕切片５，・・・の間には、ＣＤ収納用の収納空間Ａ，・・・が形成されている。
【０００３】
前記ＣＤラック１を使用してＣＤを整理する際には、ＣＤをＣＤケースに収容した後、このＣＤケースを１枚ずつ前記収納空間Ａへ収納し、整理していた。
【０００４】
【発明が解決しようとする課題】
しかしながら、近年のＣＤにおいては、２枚組のアルバムやベスト盤が販売されることが多く、これらのＣＤケースの厚みは、ＣＤが１枚のものと比べて２倍となっている。このため、前記ＣＤラック１には収納できず、整理することができなかった。
【０００５】
本発明は、このような従来の課題に鑑みてなされたものであり、２枚組のＣＤであっても収納することができるＣＤラックを提供することを目的とする。
【０００６】
【課題を解決するための手段】
前記課題を解決するために、本発明のＣＤラックにあっては、対向する上壁と下壁を有した前面解放状の箱体であって、前記上壁の下面に複数の上部仕切片が下方へ向けて突設されるとともに、前記下壁に前記各上部仕切片に夫々対峙する複数の下部仕切片が上方へ向けて突設され、隣合う前記上部仕切片および前記下部仕切片により仕切られた収納空間にＣＤケースを立てた状態で差し入れるＣＤラックにおいて、隣接する前記上部仕切片の間隔および隣接する前記下部仕切片の間隔を、単一のＣＤが収容された高さ寸法が１２４．６８ｍｍであって厚み寸法が１０．３７ｍｍの通常ＣＤケースを複数枚収納できる間隔に設定するとともに、前記収納空間にて前記通常ＣＤケースの一側面を隣合う一方側の前記両仕切片に寄せた状態で、前記通常ＣＤケースの他側面に沿った前記高さ寸法の仮想線分を半径とするとともに該仮想線分の前記下壁側の端を中心として形成される仮想円弧を想定した際に、他方側に位置する前記上部仕切片を、この仮想円弧と交差する長さであって、対峙する下部仕切片との間に間隙を残存させる長さに設定した。
【０００７】
【作用】
前記構成において、単一のＣＤが収容される通常のＣＤケースの２倍の厚みを有する２枚組用ＣＤケースは、前記各上部仕切片および各下部仕切片からなる収納空間に収納される。また、前記収納空間に通常のＣＤケースが収納され、このＣＤケースが傾斜してしまうことがあっても、ＣＤケースの上端部は上部仕切片に当接し、転倒が防止される。
【０００８】
【実施例】
以下、本発明の一実施例を図面に従って説明する。図１および図２に示すように、合成樹脂製のＣＤラック１０は、相対向する上下壁１１，１２および左右壁１３，１４と、各壁１１，１２，１３，１４に連設する後壁１５とからなる前面が解放状の箱体であり、このＣＤラック１０は、一般のＣＤケース、例えば、図３に示すような、厚みＴが１０．３７ｍｍ、幅Ｗが１４２．２３ｍｍ、高さＨが１２４．６８ｍｍに形成された単一のＣＤが収容される通常ＣＤケース１６が、複数枚収納できるように形成されている。すなわち、ＣＤラック１０内の奥行きは１４２．２３ｍｍより深く、その高さは、１２４．６８ｍｍよりも高めに設定されている。
【０００９】
一方、前記上壁１１の下面１７には、奥行き方向に延在する複数の上部仕切片１８，・・・が下方へ向けて突設されており、前記下壁１２の上面１９には、前記上部仕切片１８，・・・に夫々対峙する複数の下部仕切片２０，・・・が上方へ向けて突設されている。そして、夫々の下部仕切片２０，・・・は、前記後壁１５にて補強用リブ２１によって結合されている。
【００１０】
夫々の上部仕切片１８，・・・の間隔、および、各々の下部仕切片２０，・・・の間隔は、前記左右壁１３，１４の近傍と、両左右壁１３，１４の中央付近とでは異なり、中央付近における中央間隔Ｂは、１３ｍｍ、つまり、前記通常ＣＤケース１５の厚みＴ（１０．３７ｍｍ）よりもやや広めに設定されている。また、左右壁１３，１４の近傍における左右間隔Ｃは、３９ｍｍ、すなわち、厚みＴ（１０．３７ｍｍ）の前記通常ＣＤケース１６が３枚収納できる間隔に設定されている。これにより、ＣＤラック１０には、通常ＣＤケース１６が１枚収納できる通常収納空間Ｄと、通常ＣＤケース１５が３枚まで収納可能なアルバム収納空間Ｅが形成されている。
【００１１】
また、前記アルバム収納空間Ｅにおいて、図４に示すように、通常ＣＤケース１６を隣合う一方の前記両仕切片１８，２０側に寄せて収納した状態で、この通常ＣＤケース１６の高さＨ（１２４．６８ｍｍ）寸法を半径とする仮想円弧Ｆが想定される。この仮想円弧Ｆに基づき、前記各上部仕切片１８，・・・の下方へ向けた長さは、この仮想円弧Ｆに接する長さより長めに設定されている。
【００１２】
以上の構成からなる本実施例において、前記ＣＤラック１０を使用して、コレクションされたＣＤを整理する際には、先ず、単一のＣＤが収容された通常ＣＤケース１６，・・・と、ベスト盤やアルバムなどで２枚のＣＤが収容されたアルバム用ＣＤケース２２，・・・とに分類する。そして、前記通常ＣＤケース１６，・・・を、前記通常収納空間Ｄ，・・・へ、立てた状態で差し入れて行き収納する。
【００１３】
そして、従来のＣＤラックでは収納することができなかった前記アルバム用ＣＤケース２２，・・・を、前記アルバム収納空間Ｅ，・・・へ収納する。これにより、本実施例におけるＣＤラック１０を使用することにより、通常ＣＤケース１６，・・・とアルバム用ＣＤケース２２・・・とを同時に収納し、整理することができる。このとき、通常ＣＤケース１６，・・・は、該通常ＣＤケース１６専用の通常収納空間Ｄ，・・・に収納されているので、収納後の横方向へがたつきが防止される。
【００１４】
一方、２枚組アルバムを所有していない場合には、前記アルバム収納空間Ｅ，・・・に、通常ＣＤケース１６を３枚まで収納することができる。また、このアルバム収納空間Ｅに１枚の通常ＣＤケース１６のみを収納した際、この通常ＣＤケース１６がアルバム収納空間Ｅ内にて傾くことがあっても、通常ＣＤケース１６の上端部は上部仕切片１８に当接し、転倒することは無い。よって、通常ＣＤケース１６が転倒し、取りにくくなることは防止される。
【００１５】
なお、本実施例では、前記アルバム収納空間Ｅ，・・・を、前記左右壁１３，１４の近傍にて部分的に設けたが、全体的に設けても良い。さらに、アルバム収納空間Ｅの幅、すなわち、前記左右間隔Ｃを通常ＣＤケース１６が３枚収納できる寸法（３９ｍｍ）に設定したが、通常ＣＤケース１６が２枚、あるいは、４枚以上収納できる寸法に設定しても良い。
【００１６】
【発明の効果】
以上説明したように本発明にあっては、通常のＣＤケースの２倍の厚みを有する２枚組用ＣＤケースが収納できるとともに、単一のＣＤが収容された通常のＣＤケースが収納された場合であっても、このＣＤケースが転倒することはない。
また、前記ＣＤケースの上端部が、隣合う上部仕切片および下部仕切片で仕切られた収納空間からはみ出すことも無い。
したがって、通用のＣＤケースと２枚組のＣＤケースとを同時に、しかも不具合無く収納し、整理することができる。
【図面の簡単な説明】
【図１】本発明の一実施例を示す斜視図である。
【図２】同実施例の正面図である。
【図３】同実施例に収納されるＣＤケース例に挙げた説明した斜視図である。
【図４】同実施例の使用形態を示す要部拡大図である。
【図５】従来のＣＤラックを示す斜視図である。
【符号の説明】
１０    ＣＤラック
１１    上壁
１２    下壁
１６    通常ＣＤケース（単一のＣＤが収容されたＣＤケース）
１７    下壁
１８    上部仕切片
１９    上面
２０    下部仕切片
２２    アルバム用ＣＤケース（２枚のＣＤが収容されたＣＤケース）
Ｂ    中央間隔
Ｃ    左右間隔
Ｄ    通常収納空間
Ｅ    アルバム用収納空間
Ｆ    仮想円弧
Ｈ    高さ（通常ＣＤケースの高さ寸法）
Ｔ    厚み（通常ＣＤケースの厚み寸法）
Ｗ    幅（通常ＣＤケースの幅寸法）
【図１】
0003573802.tif 000002
【図２】
0003573802.tif 000003
【図３】
0003573802.tif 000004
【図４】
0003573802.tif 000005
【図５】
0003573802.tif 000006